(57)【特許請求の範囲】
【請求項１】
建物内部底面に基礎コンクリート（１）を打設し、この上に断熱材層（２）を設け、その上にトルマリン鉱石の微粉末を混入したモルタル層（３）を設け、その上に温泉源泉の流通管（４）を配し、さらにその上に天然鉱石類の研磨石（５）を敷き、その上にトルマリン研磨石（６）を敷き、その上層に天然鉱石類の研磨石（７）を敷き詰めて岩盤層を形成して岩盤を形成し、室内の壁に沿って温泉源泉を流通させる蓋付き樋（９）を配置すると共に、該樋の蓋の適所に多数の蒸気孔（１０）を設け、岩盤上にトルマリン鉱石の微粉末を混入した格子状の樹脂プレート（８）を敷設することを特徴とした温浴空間施設。
【請求項２】
岩盤上に敷設する格子状の樹脂プレート（８）は、岩盤の面積に対して１／２又は１／３の広さとし、残りを岩盤層のみとして敷設することを特徴とした請求項１に記載の温浴空間施設。
【発明の詳細な説明】
【技術分野】
【０００１】
本発明は、温泉源泉の熱を利用して加温し天然原石類の遠赤外線及びマイナスイオンを発生させ又、温泉源泉を室内の周辺に設けた樋に流通させ源泉に含まれるミネラル成分を蒸発、加湿させリラクゼーションと健康の促進をするための温浴空間施設の提供に関するものである。
【背景技術】
【０００２】
従来の健康促進や疲労回復、病後の療養に転地療養や温泉場への湯治療養が一般的に利用されており又、そのためには時間や場所、期間の制約という欠点がある。
【発明の開示】
【発明が解決しようとする課題】
【０００３】
従来のサウナや熱砂浴では、身体に対しての重圧感や呼吸及び心臓に対しての負担があり又温泉入浴では長時間の入浴による湯当たりや湯疲れ等がある。本発明は、そのような欠点を改善し、温泉源泉に含まれるミネラル成分と天然原石類の遠赤外線及びマイナスイオンを発生させた低温熱空間によりリラクゼーションを与え体内の活性化をはかり健康促進、疲労回復や心身の安定をあたえる温浴空間施設を提供するものである。
【課題を解決するための手段】
【０００４】
本発明は、上記目的を達成するため天然原石のトルマリン微粉末又は粒子を混練したモルタル層を設け、その上に温泉源泉が流通する架橋ポリ管又は銅管を施設し天然原石類の研磨石を敷きその上にトルマリン研磨石を敷きさらに天然原石類の研磨石を敷き詰めマイナスイオンを発生するトルマリン樹脂プレートを敷き温度を保つ。又回りに温泉源泉を流通する樋を設け温泉源泉に含まれるミネラル成分を蒸発させると共に室内の湿度を調整する。
入浴者はマイナスイオンと遠赤外線及び温泉源泉に含まれるミネラル成分の空間に、横になり或いは座り又内部にある椅子等に腰掛けたり、まったく自由な姿勢で温浴することが出来る。
室内空間に発生する遠赤外線は人体に穏やかな加温を与え、より体内の内部より発汗作用を促し、汗と一緒に老廃物や発ガン物質といわれる重金属類や毒素の一部も排出し皮膚細胞の活性化を促し、又温泉源泉に含まれるミネラル成分が体内に吸収され、マイナスイオンの効果により自律神経の均衡がはかられる。
【発明の効果】
【０００５】
本発明は、温泉源泉の温熱を利用し天然原石類を加温し、マイナスイオンや遠赤外線を発生させ穏やかな加温により体内への発汗作用を促進、細胞の活性化をはかり老廃物や有害物質を体外へ排出する。
【０００６】
温浴室内に温泉源泉を流通させることにより、源泉に含まれるミネラル成分を室内に放出させ温泉に入浴したのと同じ効果を得ることが出来る。
【０００７】
温泉源泉自体の温熱により暖められたトルマリン原石や他の天然原石類からは穏やかに遠赤外線やマイナスイオンが発生し人体をゆるやかに加温し血液の循環を促進、疲労回復、食欲増進、細胞の活性化を促す。
【０００８】
又、室内に発生するミネラル成分を吸収することにより快眠や免疫の向上、諸病の予防等の効果が得られる。
【０００９】
ボイラー等による循環式熱源に比べ温泉源泉の温熱を利用するので、特別な熱源を設ける必要も無く燃料も必要としないためにコスト的にも安価である。
【００１０】
本発明の温浴岩盤層の表面は天然原石類の研磨石で形成されているため丸味のある粒体で形成されていて、これにより体への当りに刺激があって指圧的な効果がある。またこの刺激を和らげるためには上敷きとなる樹脂プレート（８）を使用するとよい。
【発明を実施するための最良の形態】
【００１１】
本発明の実施の１形態について添付図面により説明すると、図１Ａは岩盤の全面、即ち入浴者の通路部分を除いて入浴者１人が専有すると思われる部分全面に樹脂プレート（８）を敷設した実施例図であり、図２Ａは床全面積に対して１／２を図１Ａのように樹脂プレート（８）を敷き残りは岩盤が露現した構造としたもので、入浴者は、この天然原石類の研磨石の上に自由な姿勢で温浴を楽しむこととする。なお、各図のＢは床層の断面を示している。
【実施例】
【００１２】
本発明の実施例を図面によって説明すると、本発明の温浴空間施設は、建物内部の底面に基礎コンクリート（１）を打設し、その上に断熱材層（２）を設け、この上にトルマリン鉱石の微粉末を混合したモルタル層を設ける。そして、このモルタル層（３）の上に温泉源泉の流通管（４）を配管する。この温泉源泉流通管（４）は架橋ポリ塩ビ管又は銅管を使用し、モルタル層（３）の上に配管して放熱管とする。
【００１３】
そしてこの上に天然鉱石類の研磨石（５）とトルマリン研磨石（６）と天然鉱石類の研磨石（７）をそれぞれ層状に敷き詰めて岩盤を形成する。この研磨石とは、特に磨き上げた石を指すものではなく、回転ドラムの中に砕石粒を入れて２０分程度回転させて角を落した粒状体（図Ｂの断面図参照）であって、図１Ａ、図２Ａに示すように浴室の面積に対して、後述する樹脂プレート（８）を敷設していない１／２〜１／３の部分は岩盤層のみが露現している。
【００１４】
従って温浴利用者は、専用の浴衣に着替え素足のまま、岩盤上を歩き、座り又は横になって温浴を楽しみ、岩盤表面の粒石の凹凸による刺激によって指圧的効果が得られる。またこの石粒の凹凸が気になる場合は、トルマリン微粉が混入された樹脂プレート（８）を利用する。
【００１５】
温浴室内の構造について説明すると、室内の壁に沿って温泉源泉を流通する蓋付きの樋（９）を配置する。この樋（９）の蓋は図示のように適当な間隔を置いて蒸気孔（１０）を多数設けることによって蒸気の噴出が盛んとなり、室内の湿度の保持と温度の安定を保つことができる。そして、この湿度の調整は源泉湯量の調節で加減することができる。
【産業上の利用可能性】
【００１６】
上述のように本発明の温浴空間施設は、天然原石の研磨石によって構成された温浴床と温泉源泉によってつくられる温浴室の雰囲気が天然温泉の良さ、蒸し風呂の良さに加えて指圧効果も相乗され第３の温泉として気軽に利用できる価値は大きい。
【図面の簡単な説明】
【００１７】
【図１】Ａ図、温浴室床面の平面図              Ｂ図、Ａ図Ａ−Ａ断面図
【図２】Ａ図別の実施例の温浴室床の平面図              Ｂ図、Ａ図Ａ−Ａ断面図
【符号の説明】
【００１８】
１  基礎コンクリート層
２  断熱材層
３  トルマリン混入モルタル層
４  温泉源泉流通樋
５  天然原石類研磨石層
６  トルマリン原石研磨石層
７  天然原石類研磨石層
８  トルマリン樹脂プレート
９  温泉源泉流通樋
１０  蒸気孔
【図１】
0004026179.tif 000002
【図２】
0004026179.tif 000003